(57)【要約】【課題】ＬＥＤ光源からの照射される光を広範囲に照射させることができる発光ダイオード式照明装置を提供する。【解決手段】ＬＥＤ光源から照射させる光を光閉込め手段に閉じ込めて、該閉じ込めてられた光の照度を賦活して照射する照度賦活手段を備える発光ダイオード式照明装置。【選択図】図３
2018056104.tif 000002
【特許請求の範囲】
【請求項１】
光の照射方向に配設された全光束透過板を備えるＬＥＤ照明管と、前記ＬＥＤ照明管内に前記全光束透過板に対向して基板に配置されたＬＥＤ素子と、該ＬＥＤ素子の発光側に配設された集光反射面を備える光反射部材と、前記光反射部材は、前記ＬＥＤ素子の中心線に対して対称又は非対称に光の照射方向に向けて延出して配設され、ＬＥＤ光源から照射させる光を光閉込め手段に閉じ込めて、該閉じ込めてられた光の照度を賦活して照射する照度賦活手段を備える発光ダイオード式照明装置。
【請求項２】
前記光反射部材が、ＬＥＤ素子から発光した光に光指向性を持たせてＬＥＤ照明管から全光束透過板を通して管外に照射させるための光指向形成面と、前記ＬＥＤ素子の擬似ＬＥＤ素子を映し出すための擬似ＬＥＤ素子形成面を備える集光反射面を備えることを特徴とする請求項１記載の発光ダイオード式照明装置。
【請求項３】
前記反射部材は、光源の設置面に対して前記ＬＥＤ素子の中心線に対して対称又は非対象に光の照射方向に向けて延出して配設された第１反射部材と、該第１反射部材に接続して前記前記全光束透過板の形状に沿っては配設された第２反射部材を備えることを特徴とする請求項１記載の発光ダイオード式照明装置。
【請求項４】
前記照度賦活手段は、全光束透過板内に設けられた光反射部材、及び又は全光束透過板と前記光反射部材との間の空隙において全光束透過板と対向する光反射部材の内面に設けられた光反射部材、及び又前記全光束透過板に対向する光反射部材に設けられた凹所内面に設けられた光反射部材と、及び又は前記全光束透過板と前記光反射部材との空所内面に設けられた光反射部材を備えることを特徴とする請求項４記載の発光ダイオード式照明装置。
【請求項５】
前記照度賦活手段は、全光束透過板と対向する光反射面に光反射シート、光反射フィルム、光拡散シート、光拡散フィルム、ミラー、金や銀メッキの少なくとも１つを備えることを特徴とする請求項５記載の発光ダイオード式照明装置。
【発明の詳細な説明】
【技術分野】
【０００１】本発明は、発光ダイオード式照明装置、特に直管型発光ダイオード式照明装置に関する。
【背景技術】
【０００２】ＬＥＤは、従来の照明器具と比較した場合、消費電力を減らして従来の白熱灯や蛍光灯と同程度の照度・光エネルギーを出すことが可能で、今後さらに普及していくことが期待されている。蛍光灯の代替光源として使用できる蛍光灯と同様な外観を有し、既設の蛍光灯器具にもそのまま取り付けることが可能な、直管型のＬＥＤ照明管は、例えば特許文献１及び２に知られている。【０００３】従来の直管型のＬＥＤ照明管は、ＬＥＤ光源からの照射される光を広範囲に所定に照度で照射させることができなかった。【０００４】
【先行技術文献】
【特許文献】
【０００５】
【特許文献１】特開２０１４−０５３２６７号公報
【特許文献２】特開２０１３−２１９００４号公報
【発明の概要】
【発明が解決しようとする課題】
【０００６】本発明は、従来の欠点を鑑みてなされたもので、その目的はＬＥＤ光源からの照射される光を広範囲に照射させることができる発光ダイオード式照明装置を提供することにある。
【課題を解決するための手段】
【０００７】本発明に係る発光ダイオード式照明装置は、光の照射方向に配設された全光束透過板を備えるＬＥＤ照明管と、前記ＬＥＤ照明管内に前記全光束透過板に対向して基板に配置されたＬＥＤ素子と、該ＬＥＤ素子の発光側に配設された集光反射面を備える光反射部材と、前記光反射部材は、前記ＬＥＤ素子の中心線に対して対称又は非対称に光の照射方向に向けて延出して配設され、ＬＥＤ光源から照射させる光を光閉込め手段に閉じ込めて、閉じ込めてられた光の照度を賦活して照射する照度賦活手段を備える。【０００８】本発明に係る発光ダイオード式照明装置は、光反射部材が、前記ＬＥＤ素子から発光した光に光指向性を持たせてＬＥＤ照明管から全光束透過板を通して管外に照射させるための光指向形成面と、前記ＬＥＤ素子の擬似ＬＥＤ素子を映し出すための擬似ＬＥＤ素子形成面を備える集光反射面を備えることを特徴とする。【０００９】反射部材は、光源の設置面に対して前記ＬＥＤ素子の中心線に対して対称又は非対象に光の照射方向に向けて延出して配設された第１反射部材と、該第１反射部材に接続して前記前記全光束透過板の形状に沿っては配設された第２反射部材を備える。【００１０】
【００１１】照度賦活手段は、全光束透過板内に設けられた光反射部材に光反射を賦活する材料を設ける、及び又は全光束透過板と対向する光反射部材の内面に設けられた光反射部材、及び又前記全光束透過板に対向する光反射部材に設けられた凹所内面に設けられた光反射部材と、及び又は前記全光束透過板と前記光反射部材との空所内面に設けられた光反射部材を備える。【００１２】照度賦活手段は、全光束透過板と対向する光反射面に光反射シート、及び又は光反射フィルム、及び又は光拡散シート、及び又は光拡散フィルム、及び又はミラー、及び又は金や銀メッキを備えることが好ましい。光反射部材は、光透過特性及び光反射特性を備えることが好ましい。
【発明の効果】
【００１３】本発明によれば、ＬＥＤ光源からの照射される光を広範囲に照射させることができる発光ダイオード式照明装置を提供することにある。
【図面の簡単な説明】
【００１４】
【図１】本発明に係わる直管形発光ダイオード照明装置の斜視図である。
【図２】図１に示す直管形発光ダイオード照明装置の分解斜視図である。
【図３】図１に示す断面線Ａ−Ａにおける実施形態に係る直管形発光ダイオード照明装置の断面図である。
【図４】図１の発光ダイオード式照明装置におけるＬＥＤ素子である光源から発光された光の光路を説明する概略図である。
【図５】図１の発光ダイオード式照明装置におけるＬＥＤ素子である光源から発光された光を閉じ込める手段を示す概略図である。
【図６】基板に実装されているＬＥＤ素子の擬似ＬＥＤ素子が第１反射部材の擬似ＬＥＤ形成面に映って見える写真を示す。
【図７（ａ）】ＬＥＤ素子からの光の照射を示す概略図である。
【図７（ｂ）】市販の直管型製品のＬＥＤ素子からの光の照射を示す概略図である。
【図７（ｃ）】本発明の直管型製品のＬＥＤ素子からの光の照射を示す概略図である。
【発明を実施するための形態】
【００１５】本発明に係る発光ダイオード式照明装置は、光の照射方向に配設された全光束透過板を備えるＬＥＤ照明管と、前記ＬＥＤ照明管内に前記全光束透過板に対向して基板に配置された光源としてのＬＥＤ素子と、該ＬＥＤ素子の発光側に配設された光反射特性を有する集光反射面を備える光反射部材と、ＬＥＤ光源から照射させる光を光閉込め手段に閉じ込めて、該閉じ込めてられた光の照度を賦活して照射する照度賦活手段を備える。光反射部材は、ＬＥＤ素子の中心線に対して対称又は非対称に光の発光方向に向けて延出して配設される。
【００１６】図４において、光反射部材は、第１反射部材及び第２反射部材を備える。反射部材は、Ａｌ材等のヒートシンク部材を備えることが好ましい。第１反射部材は、基板に対して仰角を基板に対して仰角を２〜５度、好ましくは３０度以上に、好ましくは４０度から８５度に、好ましくは５０度から６５度に、さらに８５度から１２０度に設定される。前記第２反射部材が第１反射部材から全光束透過板の形状に沿って外方に向かって広角方向に配設される。
【００１７】ＬＥＤ素子から発光された光は、▲１▼ＬＥＤ素子の光源直下から第１反射部材の内部空間を直進して全光束透過板から管体の外に照射される、▲２▼第１反射部材の集光反射面で反射して第１反射部材の内部空間を通って全光束透過板から管体の外に照射される、▲３▼第１反射部材の集光反射面で反射して第１反射部材の内部空間を通って全光束透過板に到達した光がさらに第２反射部材で反射して光閉じ込め手段を介して全光束透過板から管体の外に照射される、▲４▼ＬＥＤ素子から発光した光が第１反射部材を透過又は通過して第１反射部材と全光束透過板との間に形成された空間の光閉じ込め手段を介して全光束透過板から管体の外に照射される。
【００１８】照度賦活手段は、光閉込め手段から照射される光の照度を光閉込め手段内で賦活させるための手段であればよく、例えば、全光束透過板内に設けられた光反射部材に光反射を賦活する材料を設ける、及び又は全光束透過板と光反射部材との間の空隙において全光束透過板と対向する光反射部材の内面に設けられた光反射部材、及び又全光束透過板に対向する光反射部材に設けられた凹所内面に設けられた光反射部材と、及び又は全光束透過板と光反射部材との空所内面に設けられた光反射部材であることが好ましい。
【００１９】照度賦活手段は、全光束透過板と対向する光反射面に光反射シート、光反射フィルム、光拡散シート、光拡散フィルム、ミラー、前記凹所や空所内に光反射部材を配設し、前記凹所や空所の内面に凹凸やギザギザの少なくとも１つを設けることが好ましい。光反射部材は、反射効率を高めるために銀塗装、銀メッキあるいはこれに準ずる塗装やメッキを施すことが好ましい。
【００２０】光反射部材は、光反射特性を備えると共に光透過特性を備えることが好ましい。光反射部材は、光閉じ込め手段に光を導入するため及び又は透過させるために、光貫通手段、例えばスリットやナノサイズを備える細孔等を備え、及び又は光透過性の優れた材料を用いることが好ましい。光反射部材は、高反射率ポリカ材に高透過率ポリカ材を混ぜて作成してもよく、又は高透過率ポリカ材のみで光反射面を形成してもよい。光反射部材は、表面に高反射部材を設けてもよい。光反射部材は、ポリカやアクリル等の樹脂材、アルミ、鉄、ステンレス等の金属材、ガラス、木材、紙、和紙等で作られることが好ましい。
【００２１】反射部材は、全反射率を４０％以上備えることが好ましい。光反射部材は、光透過率を数％から５０％以上を備えることが好ましい。反射部材の全反射率及び又は光透過率は、使用目的に応じて適宜選択することが好ましい。光透過特性を高めるためにグラフェン薄膜や高透過性ポリカ材を用いることが好ましい。
【００２２】図５に示すように、光閉じ込め手段が、第１反射部材と全光束透過板とを備える空所である場合、光閉じ込め賦活手段は、全光束透過板と対向する側で、ＬＥＤ設置位置に対してマイナス３０度から３０度の位置に配設された第４反射部材８０を設けてもよい。
【００２３】第１反射部材は、ＬＥＤ素子から発光した光に光指向性を持たせてＬＥＤ照明管から全光束透過板を通して管外に照射させるための光指向形成面を備える。第２反射部材は、照明管に配設され全光束透過板に対向して光反射特性を有する光反射面を備える。第２反射部材は、第１反射部材の終端から全光束透過板の形状に沿って外方に向かって広角方向に配設されることが好ましい。なお、第２反射部材は、全光束透過板の曲面に沿って設けられることが好ましい。なお、ＬＥＤ照明管は、光の照射方向に配設された全光束透過板を備えないことも可能である。さらに、反射部材は、第１反射部材と第２反射部材との間に第３光反射部材を設けてもよい。光反射部材は、第３光反射部材を設けることにより全光束透過板の曲面の形状により近い形状を備えることができる。
【００２４】第１光反射部材は、ＬＥＤ照明管から管外に照射するための光指向性形成面と、ＬＥＤ素子に面する側の集光反射面に前記実装されたＬＥＤ素子の擬似ＬＥＤ素子を映し出す擬似ＬＥＤ素子形成面を備える。擬似ＬＥＤ素子形成面は、前記実装されたＬＥＤ素子の擬似ＬＥＤ素子を第１光反射部材、好ましくは擬似ＬＥＤ素子形成面に複数列、例えば、２列、３列、５列に写し出されることが好ましい。なお、擬似ＬＥＤ素子形成面は、光指向性形成面を形成していてもよい。図６は、前記基板に配設されたＬＥＤ素子から発光した光が、照射される方向からＬＥＤ素子を見た際に、基板に実装されているＬＥＤ素子１３の擬似ＬＥＤ素子１３ａが第１反射部材の擬似ＬＥＤ形成面に映って見える写真を示す。
【００２５】第１光反射板の仰角を４０度から８５度に、さらにＬＥＤ素子の配置端と第１光反射板との間隔を０．１〜５．０ｍｍに、第１光反射板の高さをＬＥＤ素子の幅の５倍以上、好ましくは１０ｍｍ〜２０ｍｍに設定することにより、広い照射角度で光量のロスを無くして、照度やＰＰＦＤを向上させることができる。ＬＥＤ光源により照射される照度は、１．５〜２．０倍を得ることが好ましい。なお、第１反射部材を基板に対して仰角、ＬＥＤ素子端部と反射板との間隔、反射板の高さは、ＬＥＤの駆動電圧や光束、さらにＬＥＤ照明装置の直径等のサイズに応じて可変される。
【００２６】なお、発光ダイオード式照明装置の管体は、略半円筒状に限らずに種々の形状を備えることができる。発光ダイオード式照明装置の管体は、例えば、ガラスや合成樹脂等の材料で形成することができる。例えば、ポリカーボネート樹脂等の所定の弾性を有する材料により長尺の半円筒となるように一体成形した部材でもよい。また、発光ダイオード式照明灯の管体の全体又は一部は、透光性を有しており、透光可能な限りにおいて透明、半透明、有色透明の材料で形成されていてもよい。
【００２７】ＬＥＤ素子は、上述した所定の電圧を印加すると白色に発光する表面実装型の白色ＬＥＤである。このＬＥＤ素子が、基板の表面側の幅方向中央位置に基板１２の長手方向に沿って一列となるように一定間隔で配置されていることが好ましい。ＬＥＤ素子は、基板１２の長手方向に沿って複数列となるように配置してもよい。
【００２８】以下、本発明の一実施形態について添付図面を参照して具体的に説明する。
本発明は、上述した実施形態には限定されない。すなわち、当業者は、本発明の技術的範囲又はその均等の範囲内において、上述した実施形態の構成要素に関し、様々な変更、組み合わせ、代替を行なってもよい。
【００２９】図１は、本発明に係る発光ダイオード式照明装置を示す概略図である。図２は、図１に示す直管形発光ダイオード照明装置の分解斜視図である。図３は、図１に示す断面線Ａ−Ａにおける第１実施形態に係る直管形発光ダイオード照明装置の断面図である。
【００３０】図３に示すように、発光ダイオード式照明装置１は、全光束透過板を備える透光性カバー３１及び管体部材１５を備える円筒状管体１０と、円筒状管体１０の内部に配設された光源としてのＬＥＤ素子１３と、ＬＥＤ素子１３が実装された基板１２と、基板支持部材１７と、光反射部材１９と、ＬＥＤ制御器２２と、端部キャップ５０とを備える。さらに、光反射部材１９は、第１光反射部材１９１と、第２光反射部材１９３と、第３光反射部材１９５とを備える。ここで、管体部材１５と、基板支持部材１７と、第１光反射部材１９１と、第２光反射部材１９３と、第３光反射部材１９５は、アルミや、銅、プラスチック等のヒートシクン材で作られることが好ましい。光反射部材は、高反射率のポリカ材（帝人社製ＬＮ５０００ＲＭ）と高透過率のポリカ材（帝人社製ＭＮ４８００５Ｚ）とを混合させたポリカ材を使用した。
【００３１】ＬＥＤ素子から発光した光は、光反射部材１９を介して全光束透過板３１を通して管体の外に照射する。前記ＬＥＤ素子から発光した光は、第１光反射部材１９１の集光反射面１９ａ光集光面を介して全光束透過板３１を通して管体の外に照射する際に、光閉じ込め手段としての、第２光反射部材１９３の光反射面１９３ａに対応して配設された全光束透過板３１に閉じ込められ、及び又は前記全光束透過板３１と前記第２光反射部材１９３との間に形成された光閉じ込め路６０に閉じ込められ、さらに光閉じ込め路６０に設けられた光反射部材の凹所６２に閉じ込められ、さらに光反射部材１９と全光束透過板３１とにより形成された空所６４に閉じ込められる。そして、閉じ込められた光は、照度賦活手段により照射する光の照度が賦活される。そして賦活された光が、全光束透過板３１から管体の外に照射される。
【００３２】照度賦活手段は、光閉込め手段に閉じ込められた照射光を賦活する。照度賦活手段は、光全光束透過板と対向する光反射面に光反射シート、光反射フィルム、光拡散シート、光拡散フィルム、ミラー、前記凹所や空所内に光反射部材を配設し、前記凹所や空所の内面に凹凸やギザギザの少なくとも１つを設けることが好ましい。光反射部材は、反射効率を高めるために銀塗装、銀メッキあるいはこれに準ずる塗装やメッキを施すことが好ましい。
【００３３】本実施形態において、基板支持体部材１７と第１光反射部材１９１は一体成形して作られることが好ましい。また、第１光反射部材１９１と、第２光反射部材１９３と、第３光反射部材１９５とを一体成形して作られることが好ましい。さらに、基板支持部材１７、第１光反射部材１９１と、第２光反射部材１９３と、第３光反射部材１９５とは一体成形して作られることが好ましい。これら部材１７、１９１、１９３、１９５にプラスチックを使用すれば、これら部材を一体成形することが容易にできる。基板支持部材１７、第１光反射部材１９１と、第２光反射部材１９３と、第３光反射部材１９５を、それぞれ個別に形成して、その後これら部材を選択して接着剤やネジ等で接合してもよい。
【００３４】基板支持部材１７と光反射部材１９とは、一体に形成されているが、光反射部光閉じ込め空間６２に閉じ込められて、そして閉じ込められた光が全光束透過板３１から管体の外に照射されることが好ましい。材１９と基板支持部材１７は、個別に構成してもよい。光反射部材１９と基板支持部材１７は、にねじや接着材で固定される。基板支持部材１７を備えた光反射部材１９は、係止部に着脱可能に取り付けられてもよい。光反射部材１９と基板支持部材１７とは、係止部から別々に取りは外し可能に取り付けられていてもよい。第１光反射部材１９は、基板１７上に一体して設けられていることが好ましい。
【００３５】これら管体部材１５、基板支持部材１７、光反射部材１９１、１９３、１９５にヒートシンクを使用することにより、高い放熱効果を得ることができ、例えばヒートシンクの素材をアルミニウムにした場合、人体の触れる部分の熱を安全な温度、例えば４０℃とすることができる。ヒートシンクの素材は、熱伝導効率に優れているアルミニウムあるいは銅が一般的である。
【００３６】図３に示すように、基板１２は、基板支持部材１７の長手形状の内部空間（閉空間）内に収容され支持されている。また、ＬＥＤ素子１３は、基板支持部材１７の透光性カバー３１側に形成されたストライブ状の開口部に発光面を全光束透過板３１と対向させて配設される。
【００３７】図３に示すように、発光ダイオード式照明装置１の上記閉空間の横断面において、横断面に沿った全光束透過板３１の中心線６１上にＬＥＤ素子１３が配設される。全光束透過板３１は、全光束透過率９５％以上を有する全光束透過板であることが好ましい。全光束透過板は、全光束透過率９５（％）以上を備えることが好ましい。全光束透過板３１は、帝人社製の高拡散タイプである樹脂製のＭＬシリーズを用いた。ここで、全光束透過率（％）は、試験片を載せた時の全光束／試験片を載せない時の全光束×１００で表される。
【００３８】基板１２に実装されたＬＥＤ素子１３は、基板の長手方向に所定の間隔をもって１列に、もしくは複数列に配設されてもよい。図２に示すように基板１２上には長手方向に沿って等間隔に複数のＬＥＤ素子１３が実装されている。また、基板１２の端部にはＬＥＤ制御器２１が配置されている。
【００３９】ここで第１光反射部材１９１は、ＬＥＤ素子側に集光反射面１９ａを備えることが好ましい。集光反射面１９ａは、光指向形成面２０ａ及ＬＥＤ素子に面する側の光反射面に実装されたＬＥＤ素子の擬似ＬＥＤ素子を映し出す擬似ＬＥＤ素子形成面２０ｂを備えることが好ましい。
【００４０】前記ＬＥＤ素子端部と第１反射部材１９の集光反射面との間隔長（Ｓ）は、０．１ｍｍから５．０ｍｍに、好ましくは０．５ｍｍから２．０ｍｍに、第１光反射部材１９の仰角αは、４５度から８５度に、好ましくは５０度から６５度に、かつ前記反射部材の全反射率を８０％以上に規定されていることが好ましい。上記間隔は、集光反射面の一部に電気絶縁材を設ければ、ゼロであってもよい。
【００４１】基板に実装されたＬＥＤ素子の疑似ＬＥＤ素子が、第１反射部材１９の集光反射面１９ｂに写し出される。ＬＥＤ素子の照射方向から基板に実装されたＬＥＤ素子の下方を見た場合に、第１反射部材１９の集光反射面１９ａに擬似ＬＥＤ素子が、写し出される（図６）。
【００４２】第１光反射部材１９１は、基板に実装されたＬＥＤ素子から発光する光が進行する方向で全光束透過板３１に向けて延出する延出部２３に光反射面１９ａを備える。延出部２３は、基板に実装されたＬＥＤ素子から発光する光が進行する方向で、前記ＬＥＤ素子の両側で前記ＬＥＤ素子の中心線に対して対称又は非対称に配設されている。延出部２３は、発光素子１３からの光を透光性カバー３１に指向する姿勢で配置されていることが好ましい。
【００４３】第１光反射部材１９は、全光束透過板３１に向かって所定の仰角；５０度から７５度の角度で延出する第１光反射部材１９１と、全光束透過板３１の湾曲形状に沿って屈曲して設けられている第２光反射部材１９３と  第１光反射部材１９１と第２光反射部材１９３とを繋ぐ第３光反射部材１９５とを備える。光反射部材１９は、第１光反射部材１９１、第２光反射部材１９３、第３光反射部材１９５の構成に限らずに光反射部材を繋いでさらに多段構成にしてもよい。
【００４４】第２光反射部材１９３及び第３光反射部材１９５は、全光束透過板３１と対向する側に光反射特性を有する光反射面１９３ａ及び１９５ａをそれぞれ備えることが好ましい。
【００４５】ＬＥＤ素子の発光照度を従来の蛍光管と同等あるいはそれ以上に指向させるため、第１光反射部材の集光反射面の全反射率を８０％以上とすることが好ましい。具体的には集光反射面１９ａに、例えば銀メッキ、銀塗装、クロムメッキ等を施すことが好ましい。また、この時の照度は、「明るさは光源と照射面までの距離の二乗に反比例する」という、光の明るさの定理に基づき定められる。
【００４６】ＬＥＤ素子から発光した光は、第１光反射部材１９１を介して全光束透過板を通して管体の外に照射する際に、第１光反射部材１９１は、基板に対して仰角；４５度から８５度に、好ましくは５０度から６５度、ＬＥＤ素子端部と第１光反射部材との間隔（Ｓ）；０．５〜５．０ｍｍ、反射板の高さ；ＬＥＤ素子の幅の５倍以上、好ましくは１０〜２０ｍｍに設定されることが好ましい。
【００４７】ＬＥＤ素子から全光束透過板を介して管外に照射される光は、照射角度；１２０度から１８０度、全光束全光束；２０００〜３０００ｌｍで照射される。
【００４８】本発明の発光ダイオード式照明装置１によれば、照度分布を広角（１４０度以上）にすることが可能となり、従来の蛍光灯の性能（照度と配光）を蛍光灯の５０％の消費電力で可能となり、省エネ照明光源を可能にする。具体的には、消費電力を蛍光灯に比べて１２〜１３％程度低減でき、照度・ＰＰＦＤを２から３倍（従来のＬＥＤ比較）にできる。蛍光管のような高熱を発することがなく、安全と安心に寄与する。また、直管形発光ダイオード式照明灯１は、５００ｇ以下にできる。
【００４９】ＡＣ電源等の駆動装置は、ＬＥＤ照明管内のＬＥＤ素子を実装した基板の下方に、又は反射部材の集光反射面の裏側に配設されることが好ましい。
【００５０】ここで、発光ダイオード式照明装置のＬＥＤ素子を駆動する順方向電圧；少なくとも１．５Ｖ〜４．５ＶをＬＥＤ素子を印加して発光ダイオード式照明装置を駆動し、前記基板に実装されたＬＥＤ素子から発光される光の方向から該基板に実装されたＬＥＤ素子方法を見た際に、前記擬似ＬＥＤ形成面に擬似ＬＥＤ素子が映し出される。なお、擬似ＬＥＤ素子は、ＬＥＤ素子が発光すれば、前記擬似ＬＥＤ形成面に擬似ＬＥＤ素子が映し出されることが好ましい。前記駆動電圧は、単一電源で駆動することが好ましい。
【００５１】本発明に係る前記発光ダイオード式照明装置は、直管形発光ダイオード式照明装置であることが好ましい。本発明に係る発光ダイオード式照明装置は、電子装置の光源、例えば液晶装置のバックライトに使用してもよい。
【産業上の利用可能性】
【００５２】本発明は、発光ダイオード式照明灯、電子装置、植物工場、ＬＥＤ看板
【符号の説明】
【００５３】１発光ダイオード式照明装置
１０円筒状管体
１２基板
１３ＬＥＤ素子
１３ａ疑似ＬＥＤ素子
１５管体部材
１６中心線
１７基板支持部材
１９光反射部材
１９１第１光反射部材
１９ａ集光反射面
１９３第２光反射部材
１９３ａ光反射面
１９５第３光反射部材
１９５ａ光反射面
２０ａ光指向形成面
２０ｂ疑似ＬＥＤ形成面
２３第１光反射部材の延出部
３１全光束透過板
５０端部キャップ
６０光閉込め路
６２光閉込め凹所
６４光閉込め空所
６６照度賦活手段
８０第４光反射部材
【図１】
2018056104.tif 000003
【図２】
2018056104.tif 000004
【図３】
2018056104.tif 000005
【図４】
2018056104.tif 000006
【図６】
2018056104.tif 000007
【図５】
2018056104.tif 000008
【図７（ａ）】
2018056104.tif 000009
【図７（ｂ）】
2018056104.tif 000010
【図７（ｃ）】
2018056104.tif 000011